(57)【要約】      （修正有）【課題】着脱の際にも異物の付着を防止しつつ簡易に着脱することができると同時に、腕全体をも保護しつつ良好な作業性を確保すると共に、子供から大人まで体に負担を掛けることなく装着することができる頭髪処理用エプロンを提供する。【解決手段】頭髪処理用エプロン１０は、人体の胴を覆う身頃部１２と、この身頃部１２から延びるようにして形成されて人体の腕の周囲を覆う袖部１４と、身頃部１２の下端に取り付けられて人体の周囲を囲むように配置される枠体１６と、身頃部１２の下端を上方に向けて持ち上げるように枠体１６を人体の肩から吊り下げて身頃部１２の下方に物体の受け部２０を形成する吊り部材１８とを備えている。身頃部１２は、人体の胴部の通過を許容する開口を形成するように身頃部１２を切り開く切り開き部３０を有する。【選択図】図１
0003188899.tif 000002
【実用新案登録請求の範囲】
【請求項１】
毛染めや散髪等の頭髪の処理の際に着用される頭髪処理用エプロンであって、人体の胴を覆う身頃部と、前記身頃部から延びるようにして形成されて前記人体の腕の周囲を覆う袖部と、前記身頃部の下端に取り付けられて前記人体の周囲を囲むように配置される枠体と、前記身頃部の下端を上方に向けて持ち上げるように前記枠体を前記人体の肩から吊り下げて前記身頃部の下方に物体の受け部を形成する吊り部材とを備え、前記身頃部は、前記人体の胴部の通過を許容する開口を形成するように前記身頃部を切り開く切り開き部を有することを特徴とする頭髪処理用エプロン。
【請求項２】
請求項１に記載された頭髪処理用エプロンであって、前記切り開き部は、面ファスナーにより開閉自在に形成されていることを特徴とする頭髪処理用エプロン。
【請求項３】
請求項１又は請求項２のいずれかに記載された頭髪処理用エプロンであって、前記身頃部と前記袖部との間に、前記袖部の前記身頃部からの離反を許容する切り欠き部が設けられていることを特徴とする頭髪処理用エプロン。
【請求項４】
請求項１乃至請求項３のいずれかに記載された頭髪処理用エプロンであって、前記吊り部材は、前記身頃部の襟口から１ｃｍ離間して身頃部に取り付けられていることを特徴とする頭髪処理用エプロン。
【考案の詳細な説明】
【技術分野】
【０００１】
本考案は、例えば、毛染めや散髪等の頭髪の処理に際して、衣類や身体への異物の付着を防止するために着用される頭髪処理用エプロンの改良に関し、特に、簡易に着脱することに関するものである。
【背景技術】
【０００２】
家庭等において、毛染めや散髪等の頭髪処理を行う場合、毛染め剤が衣服や身体に付着しないように、あるいは、切断した髪の毛が周囲に散乱しないように、ケープ又はエプロン状の異物付着防止用の上衣を身に付けて、頭髪処理を行うことがある。このような上衣として、例えば、人体の胴を覆う身頃部と、この身頃部の下端に取り付けられて人体の周囲を囲むように配置される枠体と、身頃部の下端を上方に向けて持ち上げるように枠体を人体の肩から吊り下げて身頃部の下方に物体の受け部を形成する吊り部材とを備えた理美容用ケープが提供されている（例えば、特許文献１参照）。
【０００３】
しかし、このような上衣は、一般に、通常の丸首シャツのように、頭部側から（上から）被るようにして着衣して、拡径した襟口から頭部を出した後に、内部に異物が入らないように再び襟口を閉めて使用するものであったため、必然的に脱衣する場合にも、襟口から下に頭部を抜くように、上衣を上方に持ち上げる必要があった。
【０００４】
このため、例えば、毛染め剤が毛髪に付着したままの状態で、毛染め剤が上衣に付着しないように脱衣をすることが非常に困難であり、また、散髪の際には、受け部が傾いたり、反転する等して、折角、収集した髪の毛が、脱衣の際に周囲に散乱してしまう問題があった。
【０００５】
また、この従来の上衣では、身頃部の両端に腕を出す開口部はあるものの、身頃部から出た腕を被覆する手段がなかったため、毛染め剤や切断した毛髪が腕部分に付着してしまう問題もあった。なお、この従来の上位では、肩口を上方から若干覆う部分はあるものの、腕の動きに追従するものではない結果、むしろ、作業の際に腕に引っ掛かる等して処理の支障となることもあった。
【０００６】
更には、この従来の上位では、枠体を人体の肩から吊り下げて身頃部の下方に物体の受け部を形成する吊り部材が、襟口から遠く離れた位置に取り付けられているため、肩幅の狭い子供や女性の場合には、肩口から吊り部材が落下してしまい、作業の支障となると共に、受け部に収集した毛髪等が落下してしまう問題もあった。
【先行技術文献】
【特許文献】
【０００７】
【特許文献１】意匠登録第１２９４１８６号公報
【考案の概要】
【考案が解決しようとする課題】
【０００８】
本考案が解決しようとする課題は、上記の問題点に鑑み、着脱の際にも異物の付着を防止しつつ簡易に着脱することができると同時に、腕全体をも保護しつつ良好な作業性を確保すると共に、子供から大人まで体に負担を掛けることなく装着することができる頭髪処理用のエプロンを提供することにある。
【課題を解決するための手段】
【０００９】
本考案は、上記の課題を解決するための第１の手段として、毛染めや散髪等の頭髪の処理の際に着用される頭髪処理用エプロンであって、人体の胴を覆う身頃部と、この身頃部から延びるようにして形成されて人体の腕の周囲を覆う袖部と、身頃部の下端に取り付けられて人体の周囲を囲むように配置される枠体と、身頃部の下端を上方に向けて持ち上げるように枠体を人体の肩から吊り下げて身頃部の下方に物体の受け部を形成する吊り部材とを備え、身頃部は、人体の胴部の通過を許容する開口を形成するように身頃部を切り開く切り開き部を有することを特徴とする頭髪処理用エプロンを提供するものである。
【００１０】
本考案は、上記の課題を解決するための第２の手段として、上記第１の解決手段において、切り開き部は、面ファスナーにより開閉自在に形成されていることを特徴とする頭髪処理用エプロンを提供するものである。
【００１１】
本考案は、上記の課題を解決するための第３の手段として、上記第１又は第２のいずれかの解決手段において、身頃部と袖部との間に、袖部の身頃部からの離反を許容する切り欠き部が設けられていることを特徴とする頭髪処理用エプロンを提供するものである。
【００１２】
本考案は、上記の課題を解決するための第４の手段として、上記第１乃至第３のいずれかの解決手段において、吊り部材は、身頃部の襟口から１ｃｍ離間して身頃部に取り付けられていることを特徴とする頭髪処理用エプロンを提供するものである。
【考案の効果】
【００１３】
本考案によれば、上記のように、頭髪処理用エプロンは、身頃部に、人体の胴部の通過を許容する開口を形成するように身頃部を切り開く切り開き部を有するため、この切り開き部を開いて身頃部を開口させ、ズボンやスカートを穿くように、この開口内に足先から通して上方に持ち上げることにより、即ち、胴よりも下方側から装着することができるため、上方から被る場合と比べて着脱が容易であると共に、毛染め剤等が付着した頭部を通過することがないため、毛染め剤等が頭髪に付着したままでも、処理済みの頭髪に影響を与えたり、エプロンに毛染め剤等が付着したり、収集した毛髪等が散乱したりするのを防止しつつ、着脱することができる実益がある。
【００１４】
この場合、本考案によれば、上記のように、切り開き部は、面ファスナーにより開閉自在に形成されているため、装着後は、切り開き部を閉じることにより、頭髪の処理中に、この切り開き部から、毛染め剤や毛髪が内部に入り込むことを防止することができる実益がある。
【００１５】
また、本考案によれば、上記のように、身頃部から延びるようにして形成されて人体の腕の周囲を覆う袖部をも有しているため、腕全体をこの袖部で被覆することにより、腕部分に、毛染め剤や切断した毛髪等が付着するのを確実に防止することができると同時に、腕の周囲を覆うため、通常の衣服における袖と同様に、腕の動きに完全に追従することができ、異物の付着を防止しつつ、自由に腕を動かすことができるため、毛染め作業や作業の支障となることがない実益がある。
【００１６】
更に、本考案によれば、上記のように、この袖部は、身頃部と袖部との間に設けられた切り欠き部により、身頃部からの離反を許容されているため、袖部に腕を通しても、特に、肩よりも上方に位置する頭部に対する処理のために、容易に手を挙げて作業をすることができ、円滑に、かつ、的確に、毛染め処理等の頭髪処理を行うことができる実益がある。
【００１７】
加えて、本考案によれば、上記のように、吊り部材は、身頃部の襟口から１ｃｍ離間して身頃部に取り付けられているため、子供から女性、また成人男性のいずれにとっても、首に圧迫を感ずることなく、同時に、吊り部材の肩口からの落下を確実に防止して、適正に着用することができる実益がある。
【図面の簡単な説明】
【００１８】
【図１】本考案の頭髪処理用エプロンの斜視図である。
【図２】本考案の頭髪処理用エプロンの正面図である。
【図３】本考案の頭髪処理用エプロンの背面図である。
【図４】本考案に用いられる切り開き部の拡大図である。
【図５】本考案に用いられる枠体の平面図である。
【考案を実施するための最良の形態】
【００１９】
本考案の実施の形態を図面を参照しながら、詳細に説明すると、図１乃至図３は、本考案の頭髪処理用エプロン１０を示し、この頭髪処理用エプロン１０は、例えば、毛染めや散髪等の頭髪の処理の際に着用して、衣服や人体に、毛染め剤や毛髪等が付着するのを防止するために使用される。
【００２０】
この頭髪処理用エプロン１０は、図１乃至図３に示すように、人体の胴を覆う身頃部１２と、この身頃部１２から延びるようにして形成された袖部１４と、身頃部１２の下端に取り付けられて人体の周囲を囲むように配置される枠体１６と、身頃部１２の下端を上方に向けて持ち上げるように枠体１６を人体の肩から吊り下げて身頃部１２の下方に物体の受け部２０を形成する吊り部材１８とを備えている。
【００２１】
この頭髪処理用エプロン１０のうち、身頃部１２、袖部１４及び吊り部材１８は、例えば、ポリエステルやナイロン等の比較的薄くて軽量な合成繊維から形成され、必要に応じて、撥水加工等を施すことができる。また、身頃部１２及び袖部１４は、図１に示すように、一体的に形成されるが、図２に示す身頃部１２と袖部１４の前面部分から成る前面部２２Ａと、図３に示す身頃部１２と袖部１４の後面部分から成る後面部２２Ｂとを、頭髪処理用エプロン１０の側面部において縫合等により結合して形成することができる。
【００２２】
（１．身頃部）
身頃部１２は、図２及び図３に示すように、その前身頃部分１２Ａ及び後ろ身頃部分１２Ｂが、それぞれ、略台形状の形状を有し、身頃部１２全体として、図１に示すように、略円錐台形状を有している。身頃部１２の上面部分の中央には、図１乃至図４に示すように、襟口２４が形成されている。この襟口２４は、使用者が頭部を出すために設けられているものであり、特に、図４に示すように、使用者の首回りを覆う約２ｃｍ程の高さを有し、両端を相互に着脱自在に結合することができるリング状の形状に形成されている。この場合、襟口２４の基本的な形態としては、約２０ｃｍ程度の直径に形成されている。従って、比較的大柄な成人男性であっても、楽に装着することができる一方、特に、図４に示すように、襟口用面ファスナー２６によって、締め付け具合を調整できるように形成されているため、子供の首回り等にも適切に順応して、ジャストフィットさせることができる。このため、子供から大人まで誰が着用しても、襟口２４から身頃部１２の内部に異物が混入するのを防止することができる。
【００２３】
一方、身頃部１２の下端は、図１乃至図３に示すように、枠体１６を装着できる直径を有する。具体的には、枠体１６は、図５に示すように、アルミニウムや鉄等の金属製ワイヤや、合成樹脂製のワイヤを、リング状に加工して形成され、その直径は、約６７ｃｍ程度に形成されている。従って、身頃部１２の下端も、この枠体１６を直径に対応した寸法に形成され、図１に示すように、この枠体１６を覆うようにして身頃部１２の下端を折り返して縫合等することにより、身頃部１２により枠体１６を保持する。
【００２４】
また、この身頃部１２には、図１、図２及び図４に示すように、人体の胴部の通過を許容する開口２８を形成するように身頃部１２を切り開く切り開き部３０が形成されている。この切り開き部３０は、具体的には、図１、図２及び図４に示すように、装着の際の操作性の良さを考慮して、身頃部１２のうち前身頃部分１２Ａに形成され、相互に着脱自在なリング状に形成された襟口２４の両端から下方に向けて、前身頃部分１２Ａの一部を切り離すようにして、切り開くことにより形成されている。
【００２５】
この場合、襟口２６から下方に約３０ｃｍ程度切り開くことにより、人体の胴部を通過させることができる程度の開口３０を形成することができる。従って、図４に示すように、この切り開き部３０を開いて身頃部１２を開口させることにより、枠体１６が同じく人体の胴部を通過させることができる程度の直径を有することと相俟って、ズボンやスカートを下方から穿くように、この開口３０及び枠体１６内に足先から通して上方に持ち上げることにより、即ち、胴よりも下方側から頭髪処理用エプロン１０を装着することができる。このため、頭髪処理用エプロン１０を上方から被る場合と比べて着脱が容易であることに加え、特に、毛染め剤等が付着した頭部を通過させることなく着脱することができるため、毛染め剤等が頭髪に付着したまま着脱しでも、処理済みの頭髪に影響を与えたり、頭髪処理用エプロン１０に毛染め剤等が付着したり、頭髪処理用エプロン１０が大きく傾いて収集した毛髪等が散乱したりするのを防止することができる。
【００２６】
一方で、この切り開き部３０は、図１、図２及び図４に示すように、切り開きの左右の端部のうち、少なくとも一方の端部を斜めに形成することにより、部分的に重畳して、身頃部１２を密閉することができるように形成されている。この場合、切り開き部３０は、開閉自在に形成されている、具体的には、特に、図４に示すように、切り開き部３０の上端に連結されている襟口２４を開閉する他面の襟口用面ファスナー２６によって開閉自在とすることができることに加え、必要に応じて、重畳させた場合に内側に位置する切り開き部３０の端部の外面側、及び、重畳させた場合に外側に位置する切り開き部３０の内側の一部において、内側に位置する切り開き部３０の端部に対応する位置に、閉用面ファスナー３２を設けて、開閉自在とすることもできる。従って、装着後は、切り開き部３０を閉じることにより、頭髪の処理中に、この切り開き部３０から、毛染め剤や毛髪等の異物が身頃部１２の内部に入り込むことを防止することができる。
【００２７】
（２．袖部）
袖部１４は、図１乃至図３に示すように、身頃部１２の上方から左右に延びるようにして形成されてている。この場合、本発明における頭髪処理用エプロン１０においては、この袖部１４は、単に、人体の腕の上方から覆い被さるように設けられるのではなく、図１乃至図３に示すように、人体の腕の周囲を覆うように形成され、より望ましくは、腕の全体を覆う長袖状とすることができる。具体的には、襟口２４から袖口までの長さを約６５ｃｍ程度に設定することができる。
【００２８】
これにより、腕全体をこの袖部１４で被覆することができ、腕部分に、毛染め剤や切断した毛髪等が付着するのを確実に防止することができると同時に、腕の周囲を覆うため、通常の衣服における袖と同様に、腕の動きに完全に追従することができ、異物の付着を防止しつつ、自由に腕を動かすことができるため、毛染め作業や作業の支障となることがない。
【００２９】
また、この袖部１４と身頃部１２との間には、図１乃至図３に示すように、この袖部１４の身頃部１２からの離反を許容する切り欠き部３４が設けられている。具体的には、この切り欠き部３４は、図１に示すように、身頃部１２の側面における袖部１４との境界部分に、約８ｃｍ〜１５ｃｍ程度にわたって切り欠きを設けると共に、図２及び図３に示すように、袖部１４の脇下部分における身頃部１２との境界部分に、同じく８ｃｍ〜１５ｃｍ程度にわたって切り欠きを設けることにより、脇下部分に略菱形の開口を設けるようにして形成されている。
【００３０】
この切り欠き部３４により、通常の衣服のように袖部１４の全周が身頃部１２に縫合等されている場合と異なり、袖部１４が、身頃部１２からの容易な離反を許容され、袖部１４に腕を通して肩よりも上方に腕を上げることが制限されることがなく、特に、肩よりも上方に位置する頭部に対する処理のために、容易に手を挙げて作業をすることができ、円滑に、かつ、的確に、毛染め処理等の頭髪処理を行うことができる。
【００３１】
（３．吊り部材）
更に、吊り部材１８は、図１に示すように、襟口２４を境に左右に２つ設けられ、両端部が、枠体１６が取り付けられている身頃部１２の前方の下端及び後方の下端に連結される一方、左右の肩口部分に跨るようにして、この肩口部分において身頃部１２に接合されている。
【００３２】
この場合、この吊り部材１８は、図１に示すように、枠体１６が取り付けられた身頃部１２の下端を上方に向けて持ち上げるようにして受け部２０を形成する必要があることから、少なくとも、身頃部１２の高さよりも短く形成する必要があり、具体的には、身頃部１２の自然長（枠体１６を持ち上げない自由状態での全長）を約７０ｃｍ程度に設定する一方で、この吊り部材１８の身頃部１２の頂点からの垂れ長さ（前身頃部分１２Ａ及び後ろ身頃部分１２Ｂの上端からの長さ）を約５５ｃｍ程度（身頃部１２の前後にわたる吊り部材１８の全長としては、１１０ｃｍ程度）とすることが好ましい。
【００３３】
これにより、図１に示すように、枠体１６を持ち上げるように身頃部１２の下端を上方に持ち上げた場合に、充分な大きさの受け部２０を形成することができる。この受け部２０により、例えば、頭髪から滴り落ちた毛染め剤や、切断した毛髪を受け止めて、床面等の下方に落下して異物が付着するのを防止することができると同時に、これらの廃棄すべき毛染め剤や毛髪を簡単に収集することができる。
【００３４】
また、この吊り部材１８は、枠体１６を人体の肩部から吊り下げるため、人体の肩部１６に確実に係止させる必要がある。この場合、襟口２４からあまりに離れた位置において、吊り部材１８を取り付けると、肩幅の狭い子供や女性の場合には、吊り部材１８が肩口から落下してしまうおそれがある。一方で、襟口２４のすぐ隣に連続して配置すると、首に圧迫感を感じるおそれがある。そのため、吊り部材１８の各種位置における装着感を確認したところ、吊り部材１８は、身頃部１２の襟口２４から、好ましくは、０．５ｃｍ〜１．５ｃｍ、より望ましくは１ｃｍ離間して身頃部１２に取り付けることが、好適であることが判明した。これにより、子供から女性、また成人男性のいずれにとっても、首に圧迫感を感じするのを防止することができる一方で、同時に、吊り部材１８の肩口からの落下を確実に防止することができ、頭髪処理用エプロン１０を適正に着用することができる。
【００３５】
更に、この吊り部材１８は、枠体１６を支持するものであるため、枠体１６の重量により、使用者の肩口に荷重が加わることから、直径の小さな紐状とすると、使用者の肩に大きな応力を掛け、痛みや違和感を発生させるおそれがある、そのため、図１乃至図３に示すように、この吊り部材１８は、１ｃｍ程度のある程度の幅を有するテープ状の形状として、使用者の肩に負荷される応力を分散することが好ましい。具体的には、２ｃｍ程度の幅を有する材料を２つに折り返して長手方向の端部を縫合することにより、テープ状の形状としつつ、ある程度の強度を確保することができる。
【００３６】
（４．使用方法）
次に、本考案の頭髪処理用エプロン１０の使用方法について説明すると、図４に示すように、切り開き部３０を開いて開口３０を形成した後、この開口３０内及び枠体１６内にに足先を通した上で、頭髪処理用エプロン１０を上方に持ち上げる。その後、吊り部材１８が使用者の肩口に係るようにして着用すると共に、腕を袖部１４に通す。その後、襟口の閉め具合を調整して首の太さにフィットさせると同時に、切り開き部３０を閉じて着用の上、毛染めや散髪等の頭髪処理を行う。この場合、袖部１４に覆われた腕を自由に動かして、装着者本人が毛染めや散髪等の処理を行うことができるのは勿論、頭髪処理用エプロン１０を装着した本人に対して、第三者が毛染めや散髪等の処理をすることもでき、いずれの場合であっても、装着者の身体や衣服に、毛染め剤や毛髪等の異物が付着するのを防止することができる。
【００３７】
一方、処理終了後においては、逆の手順で、袖口２４及び切り開き部３０を開いて身頃部１２を開口させて、頭髪処理用エプロン１０を下方に下げて、開口３０を胴部を通過させることにより、脱ぐことができる。この場合、下方に下げるだけであるため、処理済みの頭髪に影響を与えたり、受け部２０に溜まった余分な毛染め剤や切断した毛髪等を受け部２０から落下させて散乱させることなく、簡易に脱ぐことができる。
【産業上の利用可能性】
【００３８】
本考案は、例えば、白髪染めやカラーリング等の毛染めの他、散髪等の頭髪の処理に際して、衣類や身体への異物の付着を防止するために広く適用することができる。
【符号の説明】
【００３９】
１０  頭髪処理用エプロン
１２  身頃部
１２Ａ  前身頃部分
１２Ｂ  後ろ身頃部分
１４  袖部
１６  枠体
１８  吊り部材
２０  受け部
２２Ａ  前面部
２２Ｂ  後面部
２４  襟口
２６  襟口用面ファスナー
２８  開口
３０  切り開き部
３２  開閉用面ファスナー
３４  切り欠き部
【図１】
0003188899.tif 000003
【図２】
0003188899.tif 000004
【図３】
0003188899.tif 000005
【図４】
0003188899.tif 000006
【図５】
0003188899.tif 000007